(57)【特許請求の範囲】
【請求項１】
接続導体（１１〜１６）の可撓性ストリップ（１０）を備えた電気部品であって、
前記ストリップ（１０）が、内側の導体（１２〜１５）より短い前記ストリップ（１０）のそれぞれの外側側縁部に近接して配置された導通テスト用の２本の導体（１１，１６）を有し、これらのテスト導体が前記電気部品の基板に設けられたトラックに接続されていることを特徴とする、接続導体の可撓性ストリップを備えた電気部品。
【請求項２】
前記テスト導体（１１，１６）が、前記ストリップ（１０）の縁部に沿って延在している、請求項１記載の部品。
【請求項３】
前記ストリップ（１０）が、テスト部材と直列につながった４本のテスト導体を含む、請求項１記載の部品。
【発明の詳細な説明】
【０００１】
【発明の属する技術分野】
本発明は、２枚のプリント回路基板や装置の基板以外の電気部品を接続させる、ストリップ（帯状部材）をなす電気導体の可撓性回路やフィルムに関する。
【０００２】
【従来の技術】
ストリップに接続された基板は、取扱いに際し、ストリップの柔軟性によって動かすことが可能となる。
【０００３】
ストリップのそれぞれの導体端部は、基板のトラックやコネクター端子に、一般的にはハンダ付けによって、電気的に接続されている。このようなハンダ付けは比較的取れやすいので、不注意で引きはがしてしまうことがないように、導体ストリップの端部域を基板上にフラットに固定、たとえば固着させる。したがってハンダ付けされた接続は、機械的な接続（mechanical attachment）には使用されない。
【０００４】
【発明が解決しようとする課題】
しかし、取扱いに際して、技術者が不注意に、ストリップを引っ張ったり、ストリップを全部あるいは部分的に基板からちぎりとったり、外したりすることはありうる。このような場合、ハンダ付けされた接続では、それまでストリップが固着されていたことによって提供されていた機械的保護が失われ、引きはがされて接続が切れてしまう可能性がある。
【０００５】
導体が引きはがれたトラックを修理し導体を再びそこにハンダ付けしようとする立場におかれた技術者であれば、こうしたことからひきおこされる不良動作を検知できるかもしれない。さらに問題なのは、いくつかの導体がトラックから引きはがれたもののストリップが残りの導体によっていまだその場にあるために、引きはがれた導体が接触状態にあるという場合である。こうなると、振動がおきたときに、作動上の不良は遅れてあらわれることとなり、不良箇所をさだめるのは非常に困難となる。
【０００６】
本発明はこのような状況を検知できるようにすることを目指すものである。
【０００７】
【課題を解決するための手段】
この目的を達成するための本発明は、接続導体の可撓性ストリップを備えた電気部品に関するもので、ストリップが導通テストのために２本の導体を含み、これらテスト導体が電気部品によって接続されていることを特徴とするものである。
【０００８】
したがって、導体ストリップがちぎれた場合、テスト導体の接続が切れ、その結果このちぎれが検知される。
【０００９】
この電気部品が、ストリップのテスト導体を接続するトラックを備えていると好ましい。
【００１０】
【発明の実施の形態】
以下の単一の添付図面を参照した、本発明に係る電気部品の好適な形態についての説明により、本発明はよりよく理解されるであろう。この図面は、本発明の電気部品に固着されるとともにコネクターに接続された導体の可撓性フィルムを示している。
【００１１】
この図では、プリント回路基板９が本発明の電気部品であり、この基板は電気導体１１〜１６の可撓性ストリップ１０を備え、基板はこの導体に機械的かつ電気的に接続している。これらの導体は、ポリエステルフィルム１９上にプリントされた導電トラックである。
【００１２】
静止時、ストリップ１０はフラットになっているが、当然、変形可能である。
この場合、ストリップは基板９と反対側の端部で、コネクター２０に接続される。このコネクターは電気回路を設けたもう一方のプリント回路基板２１を受けるものである。このコネクター２０に対する機械的接続は、ストリップ１０をコネクター２０へはめ込むことによって、あるいはストリップ１０をコネクター内で挟むことによってなされている。
【００１３】
基板９は、トラック１１〜１６の端部がそれぞれハンダ付けされた、６箇所のハンダ付けポイント１から６を有する。この例では、外側のトラック１１及び１６が、内側のトラック１２〜１５より短くなっている。この方法では、ストリップ１０の端部域１８はある域に対し、この場合、基板９の外側の域に対し、フラットに固着しており、内側のポイント２〜５は、ストリップ１０のそれぞれの外側側縁部に近接して配置された外側のトラック１１及び１６よりも長い内側トラック１２〜１５によって、コネクター２０に接続されている。
【００１４】
基板９にはトラック８が設けられており、このトラックはトラック１１から１６のうちの１本をこれ以外の１本と接続させるループ接続を成している。
【００１５】
この例では、ストリップ１０の縁部に沿って延びる２本のトラック１１と１６とが、トラック８によってループされている。
【００１６】
したがって基板９は、ストリップ１０とともに、導通テストするための２本の導体を含み、これらのテスト導体は基板９によって、より正確にはトラック８によって接続されていることになる。
【００１７】
よって、ストリップ１０がちぎれたりコネクター２０が過度に引張られて基板９から引きはがれたりした場合には、テスト導体のループの導通が切れて、その結果、モニター回路でこの障害を検知することができる。この例では、テスト導体として機能するのは外側トラック１１と１６であるから、これら２本のうちのいずれか一方が、ストリップ１０が過度にねじれるようなことがあったときに、最初に、切れたりハンダ付けポイント１または６から引きはがれたりすることになる。よって、ストリップ１０がさほどひどく損傷されていない場合であっても、障害が検知できる。
【００１８】
遠隔基板２１は、図示されていないテスト部材またはテスト回路を含み、それらの遠隔端部において、ループされたトラックこの場合１１と１６における対応する端部に対して、コネクター２０によって接続されている。このテスト回路は、２本のトラック１１及び１６、ループ用トラック８、そしてポイント１および６の２箇所のハンダ付け接続とによって形成されたループの導通を検査するものである。
【００１９】
これは、たとえば、オプトカプラーのエントリーダイオードと直列につながったレジスターで、そのアセンブリが基板２１の電源から但しループ１１、８、１６を通って電源供給を受けるものとすることができる。作動中のオプトカプラーはトランジスタや論理ゲートをオフにしており、これがテストループが開いて作動停止となるとトランジスタがオンとなり、これが発光ダイオードを発光させて不良を表示する。このトランジスタは、マイクロプロセッサーへの割り込みを要求し、マイクロプロセッサーは、発見された障害の存在をディスプレイ（表示装置）に表示したり情報を電送したりすることによって、知らせることができるようになっている。
【００２０】
内側トラック１２〜１５が、外側テストトラック１１および１６よりも長くなっていることによって、ストリップ１０が折りこまれても、つまり外れても、２本の外側トラック１１と１６の端部が両方とも基板９に確実に固着された状態にあるかぎり、トラック１２〜１５が基板９からひきはがれるおそれはない。
【００２１】
導体のストリップ１０と基板９との間の機械的接続は、嵌め込み以外にも、たとえば、参照番号２０とされているようなコネクター内に挟むことによって行なってもよい。同様に、基板９を、他の適切な電気部品、たとえばディスプレイやリレーに替えてもよい。さらにまた、ストリップ１０が基板２１のコネクター２０において引きはがれた場合であってもそれを検知できる。
【００２２】
また変形形態として、ループ１１，８，１６の導通をチェックする（調べる）上述のモニター回路やテスト回路自体を、基板９上に配置してもよいことがわかる。この場合、テスト回路は遠隔的に、たとえばコネクター２０で内側トラック１２〜１５のうちの２本を介して外側トラック１１と１６との遠隔端部に電源供給し、それぞれのトラック１１，１６の端部上のこの場所（２０）において、ループされる。より一般的な方法では、４本のテストトラックをテスト部材と直列につないで、好ましくは外側トラック１１，１６のうち少なくとも１本と、あるいはこの場合のように１１，１６のいずれとも直列につながって、一種のへび型を形成することも可能となる。このようにして、上記の４本のトラックのいずれかの１本目（１１）は、コネクター２０でいずれかの２本目のトラック（１３）にループさせることによって、基板９で電流または電圧が供給される。この２本目のトラック（１３）は、基板９上のいずれか３本目のトラック（１６）にループされ、この３本目のトラック自体もコネクター２０で４本目のトラック（１４）にループされる。そしてポイント１及び４は、ループされた４本のトラック１１，１３，１６および１４によって接続され、このループの導通がその場でモニター（監視）されるようになる。
【００２３】
【発明の効果】
以上から明らかなように、本発明によれば、電気部品を接続させるストリップがはずれてひきおこされる導通の切れを、簡単、迅速に検知できるようになる。
【図面の簡単な説明】
【図１】本発明の電気部品に固着されコネクターに接続された導体の可撓性フィルムを示す概略図である。
【符号の説明】
１〜６…ハンダ付けポイント、８，１１〜１６…導体（トラック）、９，２１基板、１０…ストリップ、１８…端部域、１９…フィルム、２０…コネクター。
【図１】
0004550222.tif 000002